(57)【要約】【課題】バルコニー床パネルを天井フレームに容易に組み付けることのできるバルコニー床パネルの固定構造およびユニット建物を提供する。【解決手段】複数の床小梁２と、床小梁２の上に配置された複数の根太と、その根太の上に設置された床板とを有するバルコニー床パネルを、天井フレーム８に固定するバルコニー床パネルの固定構造であって、天井フレーム８にブラケット１０を介してアーム９が設けられ、床小梁２の端部をボルト・ナットでアーム９に固定する。【選択図】        図３
2004150083.tif 000002
【特許請求の範囲】
【請求項１】
複数の床小梁と、前記床小梁の上に配置された複数の根太を介して、又は前記床小梁の上に直接設置された床板とを有するバルコニー床パネルを、天井フレームに固定するバルコニー床パネルの固定構造であって、
前記天井フレームに内側に向けて突出部を設けるとともに、前記床小梁の端部を前記突出部に固定したことを特徴とするバルコニー床パネルの固定構造。
【請求項２】
請求項１に記載のバルコニー床パネルの固定構造において、
前記突出部と前記床小梁の端部とを、前記突出部の軸方向および前記床小梁の軸方向に沿って２ヶ所以上でボルト・ナットによって固定したことをことを特徴とするバルコニー床パネルの固定構造。
【請求項３】
建物ユニット状部に天井フレームが設けられ、平行に配置された複数の床小梁と、前記床小梁の上に配置された複数の根太を介して、又は前記床小梁の上に直接設置された床板とを有するバルコニー床パネルが前記天井フレームに固定されたユニット建物であって、
前記天井フレームに内側に向けて突出部が設けられ、前記床小梁の端部が前記突出部に固定されていることを特徴とするユニット建物。
【請求項４】
請求項３に記載のユニット建物において、
前記突出部と前記床小梁の端部とは、前記突出部の軸方向および前記床小梁の軸方向に沿って２ヶ所以上でボルト・ナットによって固定されていることを特徴とするユニット建物。
【発明の詳細な説明】
【０００１】
【発明の属する技術分野】
本発明は、天井フレームにバルコニー床パネルを固定する固定構造、およびその固定構造を用いたユニット建物に関する。
【０００２】
【従来の技術】
一般にバルコニーは、底面にバルコニー床パネルが設けられ、そのバルコニー床パネルの側部に手摺が取り付けられている。バルコニー床パネルは、平行に配置された複数の床小梁と、床小梁の上に床小梁に対して直角に配置された複数の根太と、根太の上に設置された床板とを備えている。
【０００３】
従来の建物ユニットにおいては、バルコニー床パネルに手摺が予め取り付けられたバルコニーユニットを、建物ユニットの天井構成体の上に設置するようにした。
【０００４】
しかし、このような構成では、バルコニー床パネルの各構成部品および天井構成体の各構成部品をそれぞれ別個に用意する必要があるため、部品点数の増加を招くとともに、バルコニー床パネルと天井構成体をそれぞれ組み立てなければならないので、組立工数が増加する欠点がある。
【０００５】
そこで、建物ユニットの天井フレームにバルコニー床パネルを直接固定し、バルコニー床パネルに従来の天井構成体の一部の機能を持たせるようにして、部品点数の低減と組立工数の低減を図ったユニット建物が提案されている（例えば、特許文献１参照）。
【０００６】
【特許文献１】
特開平６−３１６９７０号公報
【０００７】
【発明が解決しようとする課題】
しかしながら、上記ユニット建物では、輸送等の問題で、バルコニー床パネルと建物ユニットとを別々に搬送し、建物ユニットの天井フレームにバルコニー床パネルを現地で組み付けなければならない場合があり、このような場合の組み付けは容易ではない。すなわち、天井フレームは溝形鋼で形成されているため、そのフランジ部が障害となって、バルコニー床パネルの床小梁を天井フレームに取り付けるのは大変に面倒な作業である。
【０００８】
本発明の課題は、バルコニー床パネルを天井フレームに容易に組み付けることのできるバルコニー床パネルの固定構造およびユニット建物を提供することにある。
【０００９】
【課題を解決するための手段】
上記課題を解決するために、請求項１に記載の発明は、複数の床小梁と、前記床小梁の上に配置された複数の根太を介して、又は前記床小梁の上に直接設置された床板とを有するバルコニー床パネルを、天井フレームに固定するバルコニー床パネルの固定構造であって、前記天井フレームに内側に向けて突出部を設けるとともに、前記床小梁の端部を前記突出部に固定したことを特徴としている。
【００１０】
上記構成によれば、天井フレームには内側に向けて突出部が設けられているので、現地において、バルコニー床パネルの床小梁を突出部に容易に固定することができる。
【００１１】
請求項２に記載の発明は、請求項１において、前記突出部と前記床小梁の端部とを、前記突出部の軸方向および前記床小梁の軸方向に沿って２ヶ所以上でボルト・ナットによって固定したことをことを特徴としている。
【００１２】
上記構成によれば、突出部と床小梁の端部がそれぞれの軸方向に沿って２ヶ所以上で互いに固定されるので、天井フレームの剛性が高くなり、天井フレームの捩れに対する耐力が向上する。またボルト・ナットによる固定であるから、バルコニー床パネルを天井フレームに固定する作業も容易となる。
【００１３】
請求項３に記載の発明は、建物ユニット状部に天井フレームが設けられ、平行に配置された複数の床小梁と、前記床小梁の上に配置された複数の根太を介して、又は前記床小梁の上に直接設置された床板とを有するバルコニー床パネルが前記天井フレームに固定されたユニット建物であって、前記天井フレームに内側に向けて突出部が設けられ、前記床小梁の端部が前記突出部に固定されていることを特徴としている。
【００１４】
上記構成によれば、請求項１と同様、現地において、バルコニー床パネルの床小梁を突出部に容易に固定することができる。
【００１５】
請求項４に記載の発明は、請求項３において、前記突出部と前記床小梁の端部とは、前記突出部の軸方向および前記床小梁の軸方向に沿って２ヶ所以上でボルト・ナットによって固定されていることを特徴としている。
【００１６】
上記構成によれば、請求項２と同様、天井フレームの捩れに対する耐力が向上し、またバルコニー床パネルを天井フレームに固定する作業も容易となる。
【００１７】
【発明の実施の形態】
以下、本発明の実施の形態を図面に従って説明する。
図１はバルコニー床パネルを示しており、（ａ）は平面図、（ｂ）は正面図、（ｃ）は右側面図である。図に示すように、バルコニー床パネル１は、平行に配置されリップ溝形鋼で形成された複数本（ここでは３本）の床小梁２と、床小梁２の上に床小梁２に対して直角方向に配置された複数本（ここでは９本）の根太３と、根太３の上に設置された広い複数枚（ここでは３枚）の床板４と、根太３の上に設置され床板４の両側に配置された狭い２枚の床板５とを備えている。なお、バルコニー床パネル１としては、根太３が省略され、床小梁２の上に床板４が直接設置されたタイプのものでもよい。
【００１８】
バルコニー床パネル１が組み付けられる下階建物ユニット６は、図２に示すように４隅に柱７が設けられ、その上部に溝形鋼で形成された４本の上梁８が取り付けられている。これら４本の上梁８は矩形状に配置され、天井フレームを形成している。各上梁８は溝部が内側に向いて配置され、そのうち、軒先側の上梁８には、溝部側の３ヶ所にアーム９が設けられている。これらアーム９は溝形鋼で形成されている。
【００１９】
アーム９は、図３（ａ）に示すように、ブラケット１０を介して上梁８に支持されている。ブラケット１０は鋼板を断面コ字状に折り曲げて形成され、その両側の折り曲げ部１０Ａ，１０Ｂは上梁８の溝形状に合わせて外形が成形され、上梁８の溝内に溶接等により固定されている。なお、図３（ａ）は、ブラケット１０の全体形状を表すために、上梁８の上部フランジの一部を切り欠いて示したものである。
【００２０】
折り曲げ部１０Ａ，１０Ｂを有するブラケット１０は、その中央部１０Ｃが上梁８に沿って平行な平面に形成され、この中央部１０Ｃにはアーム９の一端が溶接等により固定されている。アーム９には、その軸方向に沿って２ヶ所にボルト穴１１，１１が形成されている。なお、ブラケット１０とアーム９は突出部を構成している。
【００２１】
一方、バルコニー床パネル１の床小梁２の一端部には、図３（ｂ）に示すように、軸方向に沿って２ヶ所にボルト穴１２，１２が形成されている。ボルト穴１２，１２間の間隔は、アーム９のボルト穴１１，１１間の間隔に合致している。
【００２２】
バルコニー床パネル１を下階建物ユニット６に組み付けると、図４および図５に示すように、アーム９の背面に床小梁２の背面が密着して、ボルト穴１１，１１とボルト穴１２，１２とが位置合わせされる。そして、ボルト穴１１およびボルト穴１２にはボルト１３が挿通され、さらにボルト１３にナット１４が螺合され締め付けられて、床小梁２の一端部はアーム９に強固に固定されている。
【００２３】
また、図６および図７に示すように、軒元側の上梁８（図２参照）には、床小梁２の他端部を支持するためのブラケット１５が設けられている。このブラケット１５は、上梁８よりもサイズの小さい溝形鋼を所定長さにカットして形成され、上梁８の溝内に嵌合されている。ブラケット１５の上部フランジ１５Ａおよび下部フランジ１５Ｂは、溶接等により上梁８の溝内に固定されている。またブラケット１５の溝内には、ブラケット１５の幅方向に沿って補強板１５Ｃが設けられている。
【００２４】
一方、バルコニー床パネル１の床小梁２の他端部には、プレート１６が溶接等により固定されている。図示してないが、プレート１６にはボルト穴が２ヶ所に形成され、またブラケット１５にもプレート１６の前記ボルト穴に対応してボルト穴が２ヶ所に形成されている。
【００２５】
図４および図５の場合と同様に、バルコニー床パネル１を下階建物ユニット６に組み付けると、床小梁２他端部のプレート１６がブラケット１５背面に密着して、プレート１６のボルト穴とブラケット１５のボルト穴とが位置合わせされる。そして、前記両ボルト穴にはボルト１７が挿通され、さらにボルト１７にナット１８が螺合され締め付けられて、床小梁２の他端部はブラケット１５に強固に固定されている。
【００２６】
図８は、下階建物ユニット６の上梁８にバルコニー床パネル１を固定するとともに、上梁８の上面に手摺部１９を取り付けたときの断面図である。図に示すように、根太３の高さは軒元側から軒下側に近付くにつれて漸次低くなり、床板４全体は軒先側が軒元側よりも低くなるよう傾斜している。図８において、２０は下階建物ユニット６の内側に配置された下階建物ユニットの上梁であり、２１はその下階建物ユニット２０の上に配置された上階建物ユニットの床梁である。
【００２７】
次に、バルコニー床パネル１と手摺部１９を下階建物ユニット６に組み付ける施工手順について説明する。
【００２８】
先ず、図９に示すように、下階建物ユニット６の上部に天井部材２２を組み付け、この天井部材２２の上面を覆うように、下階建物ユニット６上部にバルコニー床パネル１を載置する。そして、バルコニー床パネル１の床小梁２の一端部を上梁８のアーム９にボルト１３およびナット１４で固定するとともに、床小梁２の他端部を上梁８のブラケット１５にボルト１７およびナット１８で固定する。
【００２９】
次に、図１０に示すように、上梁８の上に手摺部１６をボルトとナット（図示省略）により組み付ける。最後に、図１１に示すように、軒先下地２３をタッピングスクリュウ２４により固定する。
【００３０】
本実施の形態によれば、床小梁２をアーム９やブラケット１５に固定する方法がボルト・ナットによる乾式接合であるから、現地でも容易に固定作業を行うことができる。
【００３１】
また、アーム９の軸および床小梁２の軸に沿って２ヶ所以上で床小梁２とアーム９とが固定されるため、上梁８の剛性が増して、上梁８の中間部に捩れが生じにくくなり、その結果、風圧力や人の寄り掛かりに対する手摺部１９の耐力が向上する。
【００３２】
【発明の効果】
以上説明したように、本発明によれば、天井フレームには内側に向けて突出部が設けられているので、現地においても、バルコニー床パネルの床小梁を天井フレームに容易に固定することができる。
【図面の簡単な説明】
【図１】バルコニー床パネルを示しており、（ａ）は平面図、（ｂ）は正面図、（ｃ）は右側面図である。
【図２】下階建物ユニットの上部斜視図である。
【図３】（ａ）は軒先側の上梁に設けられたアームの斜視図、（ｂ）はアームに固定される床小梁の端部斜視図である。
【図４】アームに床小梁を締結した様子を示す図である。
【図５】図４のＡ−Ａ線に沿った矢視図である。
【図６】軒元側の上梁に設けられたブラケットに床小梁を固定した様子を示す図である。
【図７】図６のＢ−Ｂ線に沿った矢視図である。
【図８】下階建物ユニットの上梁にバルコニー床パネルと手摺部を固定したときの断面図である。
【図９】下階建物ユニットにバルコニー床パネルを組み付ける様子を示した図である。
【図１０】下階建物ユニットに手摺部を組み付ける様子を示した図である。
【図１１】バルコニー床パネルに軒先下地を取り付ける様子を示した図である。
【符号の説明】
１  バルコニー床パネル
２  床小梁
３  根太
４，５  床板
６  下階建物ユニット
８  上梁
９  アーム
１０  ブラケット
１３，１７  ボルト
１４，１８  ナット
１５  ブラケット
１６  プレート
１９  手摺部
【図１】
2004150083.tif 000003
【図２】
2004150083.tif 000004
【図３】
2004150083.tif 000005
【図４】
2004150083.tif 000006
【図５】
2004150083.tif 000007
【図６】
2004150083.tif 000008
【図７】
2004150083.tif 000009
【図８】
2004150083.tif 000010
【図９】
2004150083.tif 000011
【図１０】
2004150083.tif 000012
【図１１】
2004150083.tif 000013